(57)【要約】【課題】無線通信品質の変動で無線通信が失敗した場合に、自動的な無線通信のリトライ（再送）を有効に活用することで通信失敗を妨げるため、通信のやり直しによる通信時間の増加を抑えることができる携帯無線システムを提供する。【解決手段】携帯通信装置１と、携帯通信装置１に接続された無線親機２と、携帯通信装置１と通信を行う端末装置４と、端末装置４に接続された無線子機３とを備え、無線親機２と無線子機３との間の無線通信を介して携帯通信装置１と端末装置４との間で通信し、無線通信ができなかった場合に無線親機２と無線子機３との間で自動的に再送を行う携帯無線システムにおいて、携帯通信装置１は、無線通信ができなかった場合にその都度無線通信ができなかった旨を報知する報知部７を備える。【選択図】      図１
2006279561.tif 000002
【特許請求の範囲】
【請求項１】
携帯通信装置と、
前記携帯通信装置に接続された無線親機と、
前記携帯通信装置と通信を行う端末装置と、
前記端末装置に接続された無線子機とを備え、
前記無線親機と前記無線子機との間の無線通信を介して前記携帯通信装置と前記端末装置との間で通信し、前記無線通信ができなかった場合に前記無線親機と前記無線子機との間で自動的に再送を行う携帯無線システムであって、
前記携帯通信装置は、前記無線通信ができなかった場合にその都度無線通信ができなかった旨を報知する報知部を備えることを特徴とする携帯無線システム。
【請求項２】
前記報知部は、前記無線通信ができなかったことを表示により報知する表示部からなることを特徴とする請求項１記載の携帯無線システム。
【請求項３】
前記報知部は、前記無線通信ができなかったことを音により報知する鳴動部からなることを特徴とする請求項１又は請求項２記載の携帯無線システム。
【請求項４】
携帯通信装置と、
前記携帯通信装置に接続された無線親機と、
前記携帯通信装置と通信を行う端末装置と、
前記端末装置に接続された無線子機とを備え、
前記無線親機と前記無線子機との間の無線通信を介して前記携帯通信装置と前記端末装置との間で通信し、前記無線通信ができなかった場合に前記無線親機と前記無線子機との間で自動的に再送を行う携帯無線システムであって、
前記無線親機は、前記無線通信ができなかった場合にその都度無線通信ができなかった旨を報知する報知部を備えることを特徴とする携帯無線システム。
【請求項５】
前記報知部は、前記無線通信ができなかったことを表示により報知する表示部からなることを特徴とする請求項４記載の携帯無線システム。
【請求項６】
前記報知部は、前記無線通信ができなかったことを音により報知する鳴動部からなることを特徴とする請求項４又は請求項５記載の携帯無線システム。
【請求項７】
無線親機の機能を有する無線部を備えた携帯無線装置と、
前記携帯無線装置と通信を行う端末装置と、
前記端末装置に接続された無線子機とを備え、
前記携帯無線装置の無線部と前記無線子機との間の無線通信を介して前記携帯無線装置と前記端末装置との間で通信し、前記無線通信ができなかった場合に前記無線部と前記無線子機との間で自動的に再送を行う携帯無線システムであって、
前記携帯無線装置は、前記無線通信ができなかった場合にその都度無線通信ができなかった旨を報知する報知部を備えることを特徴とする携帯無線システム。
【請求項８】
前記報知部は、前記無線通信ができなかったことを表示により報知する表示部からなることを特徴とする請求項７記載の携帯無線システム。
【請求項９】
前記報知部は、前記無線通信ができなかったことを音により報知する鳴動部からなることを特徴とする請求項７又は請求項８記載の携帯無線システム。
【発明の詳細な説明】
【技術分野】
【０００１】
本発明は、無線を利用して端末装置内の情報を携帯通信装置で収集する携帯無線システムに関し、特に無線通信の失敗を早期に報知する技術に関する。
【背景技術】
【０００２】
従来、例えば夜間検針、難検針等に対応するために、無線により遠隔から検針できる携帯無線システムが使用されている。この携帯無線システムでは、各戸に設置されるメータ等の端末装置に無線子機となる無線装置が接続されている。検針員は、例えばハンディターミナルといった携帯通信装置に無線親機となる無線装置を接続し、メータに接続されている無線子機と通信を行うことにより、メータの指針値等といった内部情報の収集やメータの設定変更等を行う。
【０００３】
このような携帯無線システムでは、無線通信品質が周囲の環境により変動する場合が多いことから、電界強度測定と通信失敗時の原因表示を可能とする通信品質の評価性の高い携帯型無線機が開発されている（例えば、特許文献１参照）。
【０００４】
この携帯無線システムでは、携帯通信装置側に無線親機が接続されるとともに、端末装置側に無線子機が接続され、携帯通信装置と端末装置との間の通信は無線親機と無線子機との間の無線通信を介して行われる。この携帯無線システムにおいて、通信が成功した場合の通信手順を、図９に示すシーケンス図を参照しながら説明する。
【０００５】
まず、携帯通信装置は、要求１を無線親機に送る（ステップａ）。携帯通信装置からの要求１を受信した無線親機は、その要求１を無線子機に無線にて送信する（ステップｂ）。無線親機からの要求１を受信した無線子機は、その要求１を端末装置に送信する（ステップｃ）。端末装置は、無線子機から受信した要求１に応答して、応答１を無線子機に返す（ステップｄ）。無線子機は、端末装置からの応答１を受信すると、その応答１を無線親機に無線にて送信する（ステップｅ）。無線親機は、受信した応答１を携帯通信装置へ送る（ステップｆ）。
【０００６】
以上の手順が、ｍ回（ｍ＝１，２，…）繰り返されることにより、１つの作業（例えば検針値の読み出し）が完了する。携帯通信装置は、１つの作業が完了した時点で、その内部の表示部に、通信が成功した旨を表す通信結果を表示させる（ステップｍ）。
【０００７】
次に、この携帯無線システムで行われる無線通信において、通信が失敗した場合の通信手順を、図１０に示すシーケンス図を参照しながら説明する。
【０００８】
まず、携帯通信装置は、要求１を無線親機に送る（ステップａ）。携帯通信装置からの要求１を受信した無線親機は、その要求１を無線子機へ無線にて送信する。この際、無線親機は、タイマを起動してカウントアップを開始させる。そして、所定時間が経過しても無線子機からの応答を受信できない場合は、受信タイムアウトであると判断し（ステップｃ）、無線にて要求１の再送である再送１を送信する（ステップｄ）。そして、ｎ回目（ｎ＝１、２，…）の無線による再送ｎによっても無線子機からの応答を受信できない場合には、無線親機は、携帯通信装置に通信失敗応答を返す（ステップｆ）。携帯通信装置は、この通信失敗応答を受け取ると、その内部の表示部に、通信が失敗した旨を表す通信結果を表示させる（ステップｇ）。
【特許文献１】特開平２０００−３０８１５８号公報
【発明の開示】
【発明が解決しようとする課題】
【０００９】
ところで、上述したような携帯無線通信システムにおける無線通信品質は、周囲の影響を受けやすく、かつ時間帯により大きく変動するため、通信が成功していた場所であっても、急に通信が失敗するようになることがある。
【００１０】
上述したような携帯無線通信システムで通信失敗が発生すると、以下のような問題が生じる。即ち、通信失敗の通知は一連の通信が終了した後に行われるため、通信をやり直すまでに時間がかかる。また、複数の要求を行った場合には、通信をやり直す際に、通信が成功しなかった要求のみを選択しなければならず、通信を開始するための準備に時間がかかる。
【００１１】
本発明は、無線通信品質の変動で無線通信が失敗した場合に、自動的な無線通信のリトライ（再送）を有効に活用することで通信失敗を妨げるため、通信のやり直しによる通信時間の増加を抑えることができる携帯無線システムを提供することにある。
【課題を解決するための手段】
【００１２】
第１の発明に係る携帯無線システムは、携帯通信装置と、前記携帯通信装置に接続された無線親機と、前記携帯通信装置と通信を行う端末装置と、前記端末装置に接続された無線子機とを備え、前記無線親機と前記無線子機との間の無線通信を介して前記携帯通信装置と前記端末装置との間で通信し、前記無線通信ができなかった場合に前記無線親機と前記無線子機との間で自動的に再送を行う携帯無線システムであって、前記携帯通信装置は、前記無線通信ができなかった場合にその都度無線通信ができなかった旨を報知する報知部を備えることを特徴とする。この場合、前記報知部は、無線通信ができなかったことを表示により報知する表示部又は無線通信ができなかったことを音により報知する鳴動部から構成できる。
【００１３】
第２の発明に係る携帯無線システムは、携帯通信装置と、前記携帯通信装置に接続された無線親機と、前記携帯通信装置と通信を行う端末装置と、前記端末装置に接続された無線子機とを備え、前記無線親機と前記無線子機との間の無線通信を介して前記携帯通信装置と前記端末装置との間で通信し、前記無線通信ができなかった場合に前記無線親機と前記無線子機との間で自動的に再送を行う携帯無線システムであって、前記無線親機は、前記無線通信ができなかった場合にその都度無線通信ができなかった旨を報知する報知部を備えることを特徴とする。この場合、前記報知部は、無線通信ができなかったことを表示により報知する表示部又は無線通信ができなかったことを音により報知する鳴動部から構成できる。
【００１４】
第３の発明に係る携帯無線システムは、無線親機の機能を有する無線部を備えた携帯無線装置と、前記携帯無線装置と通信を行う端末装置と、前記端末装置に接続された無線子機とを備え、前記携帯無線装置の無線部と前記無線子機との間の無線通信を介して前記携帯無線装置と前記端末装置との間で通信し、前記無線通信ができなかった場合に前記無線部と前記無線子機との間で自動的に再送を行う携帯無線システムであって、前記携帯無線装置は、前記無線通信ができなかった場合にその都度無線通信ができなかった旨を報知する報知部を備えることを特徴とする。この場合、報知部は、無線通信ができなかったことを表示により報知する表示部又は無線通信ができなかったことを音により報知する鳴動部から構成できる。
【発明の効果】
【００１５】
第１の発明によれば、無線通信ができなかった場合に無線通信装置に設けられた報知部によってその事実が報知されるので、無線通信装置の操作員は、従来のように何回かの無線通信のリトライ（再送）の後に無線通信の失敗を知るのではなく、直ちに無線通信ができなかった旨を知ることができる。従って、無線装置の操作員は、無線通信ができなかった旨が報知された場合は、無線通信品質の良好な位置に移動して自動的な無線通信のリトライ（再送）を行なうことができるため、通信失敗を防ぎ、通信のやり直しによる通信時間の増加を抑えることができる。
【００１６】
第２の発明によれば、無線通信ができなかった場合に無線親機に設けられた報知部によってその事実が報知されるので、上述した第１の発明と同様の効果が得られる。また、無線通信ができなかった旨を報知する機能は、無線親機が存在する場合にのみ必要な機能であるので、報知部は無線親機に設けられるのが好ましい。報知部を無線親機に設けることにより携帯通信装置の構造が簡単になるので、携帯通信装置を安価に構成できる。特に、携帯通信装置を単独で使用する場合は、コスト上の利益を受けることができる。また、携帯通信装置と無線親機の間での通信（受信タイムアウト応答、再送を行わなくてよいため、通信時間を短縮することができる。
【００１７】
第３の発明によれば、無線通信ができなかった場合に、携帯無線装置に設けられた報知部によってその事実が報知されるので、上述した第１の発明と同様の効果が得られる。また、第３の発明の携帯無線システムは、第１の発明における携帯無線装置と無線親機とを一体化した構造を有するので、一体化に伴う低価格化が可能であり、携帯無線システムを安価に構成できる。また、携帯通信装置と無線親機の間での通信（受信タイムアウト応答、再送を行わなくてよいため、通信時間を短縮することができる。
【発明を実施するための最良の形態】
【００１８】
以下、本発明の実施例を図面を参照しながら詳細に説明する。なお、以下で説明する各実施例において、同一又は相当する構成部分には同一の符号を付して説明する。
【実施例１】
【００１９】
本発明の実施例１に係る携帯無線システムは、携帯通信装置に設けられた表示回路を用いて無線通信ができなかった旨を表示でユーザに知らせることを特徴とする。
【００２０】
図１は本発明の実施例１に係る携帯無線システムの構成を示すブロック図である。携帯無線システムは、携帯通信装置１、無線親機２、無線子機３及び端末装置４から構成されている。携帯通信装置１は、例えばハンディターミナル等の携帯可能な装置から構成されている。無線親機２は、携帯通信装置１に接続され、その無線インタフェースとして使用される。無線子機３は、端末装置４に接続され、その無線インタフェースとして使用される。端末装置４は、例えば電気、ガス、水道等のメータから構成されている。
【００２１】
携帯通信装置１は、制御回路５、インタフェース（Ｉ／Ｆ）回路６及び表示回路７から構成されている。制御回路５は、例えばマイクロコンピュータから構成されており、携帯通信装置１の全体を制御する。インタフェース回路６は、制御回路５と無線親機２との間の信号の送受を制御する。表示回路７は、本発明の報知部及び表示部に対応し、制御回路５からの表示信号に応じたメッセージを表示する。表示回路７は、例えば、液晶回路やＬＥＤ回路から構成することができる。
【００２２】
無線親機２は、携帯通信装置１に着脱可能に構成されており、無線子機３との間の無線通信を制御する。無線親機２は、インタフェース（Ｉ／Ｆ）回路８、制御回路９、無線回路１０及びタイマ回路１１から構成されている。
【００２３】
インタフェース回路８は、制御回路９と携帯通信装置１との間の信号の送受を制御する。制御回路９は、例えばマイクロコンピュータから構成されており、無線親機３の全体を制御する。無線回路１０は、制御回路９からの信号を変調してアンテナから送信すると共に、アンテナで受信された信号を復調して制御回路９に送る。タイマ回路１１は、後述する要求の送信がなされる毎に制御回路９によって起動され、起動時から所定時間が経過することにより受信タイムアウト信号を制御回路９に送る。
【００２４】
次に、このように構成された実施例１に係る携帯無線システムの動作を、図２に示すシーケンス図を参照しながら説明する。
【００２５】
まず、携帯通信装置１は、制御回路５からインタフェース回路６を介して要求１を無線親機２に送る（ステップａ）。無線親機２の制御回路９は、携帯通信装置１のインタフェース回路６から送られてくる要求１を、インタフェース回路８を介して受信し、無線回路１０を介して無線子機３に無線にて送信する（ステップｂ）。無線親機２の制御回路９は、同時に、タイマ回路１１を起動する。
【００２６】
無線親機２の制御回路９は、タイマ回路１１からの受信タイムアウト信号を受け取るまでに無線子機３からの応答を受信できない場合（ステップｃ）は、受信タイムアウトであると判断し、受信タイムアウト応答１を携帯通信装置１に返す（ステップｄ）。
【００２７】
携帯通信装置１は、受信タイムアウト応答１を受信すると、通信結果として「受信タイムアウト１」を出力する（ステップｅ）。具体的には、携帯通信装置１の制御回路５は、表示回路７に「受信タイムアウト１」を表示させる。次に、携帯通信装置１は、無線親機２に要求１の再送である再送１を送る（ステップｆ）。携帯通信装置１からの再送１を受け取った無線親機２は、要求１の再送である再送１を無線にて無線子機３に送信する（ステップｇ）。
【００２８】
無線親機２は、ｎ−１回目（ｎ＝１，２，…）の再送に対して無線子機３からの応答を受信できなかった場合には、携帯通信装置１へ受信タイムアウト応答ｎを返し（ステップｉ）、ｎ回目の再送ｎ（ステップｌ）までに無線子機３からの応答を受信できなかった場合には、携帯通信装置１に通信失敗応答を返す（ステップｍ）。これにより、携帯通信装置１は、表示回路７に通信結果として「通信失敗」を表示する（ステップｎ）。
【００２９】
以上説明したように、実施例１に係る携帯無線システムによれば、無線通信ができなかった、つまり受信タイムアウトになった場合はその都度、その事実が、携帯通信装置１に設けられた表示回路７への表示によって報知されるので、携帯通信装置１の操作員は、従来のように何回かの無線通信のリトライ（再送）の後に無線通信の失敗を知るのではなく、無線通信が試みられる毎に無線通信ができない旨を知ることができる。従って、携帯通信装置１の操作員（例えば検針員）は、無線通信ができなかった旨が報知された場合は、無線通信品質の良好な位置に移動して自動的な無線通信のリトライ（再送）を行なうことができるため、通信失敗を防ぎ、通信のやり直しによる通信時間の増加を抑えることができる。
【実施例２】
【００３０】
本発明の実施例２に係る携帯無線システムは、携帯通信装置に設けられた鳴動回路を用いて無線通信ができない旨を音声でユーザに知らせることを特徴とする。
【００３１】
図３は本発明の実施例２に係る携帯無線システムの構成を示すブロック図である。携帯無線システムは、携帯通信装置１ａの構成が実施例１に係る携帯無線システムの携帯通信装置１と異なる。
【００３２】
即ち、携帯通信装置１ａは、実施例１に係る携帯通信装置１に鳴動回路１３が追加されて構成されている。鳴動回路１３は、本発明の報知部及び鳴動部に対応し、制御回路５からの制御信号に応答して、所定の音を発生する。鳴動回路１３は、例えば圧電ブザーから構成することができる。
【００３３】
次に、このように構成された実施例１に係る携帯無線システムの動作を、図２に示すシーケンス図を参照しながら説明する。
【００３４】
まず、携帯通信装置１ａは、制御回路５からインタフェース回路６を介して要求１を無線親機２に送る（ステップａ）。無線親機２の制御回路９は、携帯通信装置１のインタフェース回路６から送られてくる要求１を、インタフェース回路８を介して受信し、無線回路１０を介して無線子機３に無線にて送信する（ステップｂ）。無線親機２の制御回路９は、同時に、タイマ回路１１を起動する。
【００３５】
無線親機２の制御回路９は、タイマ回路１１からの受信タイムアウト信号を受け取るまでに無線子機３からの応答を受信できない場合（ステップｃ）は、受信タイムアウトであると判断し、受信タイムアウト応答１を携帯通信装置１ａに返す（ステップｄ）。
【００３６】
携帯通信装置１ａは、受信タイムアウト応答１を受信すると、通信結果として「受信タイムアウト１」を出力する（ステップｅ）。具体的には、携帯通信装置１ａの制御回路５は、鳴動回路１３に「受信タイムアウト１」を表すブザー音を鳴動させる。次いで、携帯通信装置１ａは、無線親機２に要求１の再送である再送１を送る（ステップｆ）。携帯通信装置１ａからの再送１を受け取った無線親機２は、要求１の再送である再送１を無線子機３に無線にて送信する（ステップｇ）。
【００３７】
無線親機２は、ｎ−１回目の再送に対して無線子機３からの応答を受信できなかった場合には、携帯通信装置１ａへ受信タイムアウト応答ｎを返し（ステップｉ）、ｎ回目の再送ｎ（ステップｌ）までに無線子機３からの応答を受信できなかった場合には、携帯通信装置１ａに通信失敗応答を返す（ステップｍ）。これにより、携帯通信装置１ａは、表示回路７に通信結果として「通信失敗」を表示する（ステップｎ）。
【００３８】
以上説明したように、実施例２に係る携帯無線システムによれば、無線通信ができなかった、つまり受信タイムアウトになった場合はその都度、その事実が、携帯通信装置１ａに設けられた鳴動回路１３で発生される音によって報知されるので、携帯通信装置１ａの操作員は、従来のように何回かの無線通信のリトライ（再送）の後に無線通信の失敗を知るのではなく、無線通信が試みられる毎に無線通信ができない旨を知ることができる。従って、携帯通信装置１ａの操作員（例えば検針員）は、無線通信ができなかった旨が報知された場合は、無線通信品質の良好な位置に移動して自動的な無線通信のリトライ（再送）を行なうことができるため、通信失敗を防ぎ、通信のやり直しによる通信時間の増加を抑えることができる。
【００３９】
なお、実施例２では、携帯通信装置１ａは、受信タイムアウト応答１を受信すると、鳴動回路１３に「受信タイムアウト１」を表すブザー音を鳴動させるように構成したが、これと同時に、表示回路７に「受信タイムアウト１」を表示させるように構成することもできる。この構成によれば、受信タイムアウトが発生したことを、より確実に携帯通信装置１ａの操作員に報知することができる。
【実施例３】
【００４０】
本発明の実施例３に係る携帯無線システムは、無線親機に設けられた表示回路を用いて無線通信ができない旨を表示でユーザに知らせることを特徴とする。
【００４１】
図４は本発明の実施例３に係る携帯無線システムの構成を示すブロック図である。この携帯無線システムは、無線親機２ｂの構成が実施例１に係る携帯無線システムの無線親機２と異なる。
【００４２】
即ち、無線親機２ｂは、実施例１に係る無線親機２に表示回路７ａが追加されて構成されている。表示回路７ａは、本発明の報知部及び表示部に対応し、制御回路５からの制御信号に応じたメッセージを表示する。表示回路７ａは、携帯通信装置１の表示回路７と同様に、例えば、液晶回路やＬＥＤ回路から構成することができる。
【００４３】
次に、このように構成された実施例３に係る携帯無線システムの動作を、図５に示すシーケンス図を参照しながら説明する。
【００４４】
まず、携帯通信装置１は、制御回路５からインタフェース回路６を介して要求１を無線親機２ｂに送る（ステップａ）。無線親機２ｂの制御回路９は、携帯通信装置１のインタフェース回路６から送られてくる要求１を、インタフェース回路８を介して受信し、無線回路１０を介して無線子機３に無線にて送信する（ステップｂ）。無線親機２ｂの制御回路９は、同時に、タイマ回路１１を起動する。
【００４５】
無線親機２ｂの制御回路９は、タイマ回路１１からの受信タイムアウト信号を受け取るまでに無線子機３からの応答を受信できない場合には（ステップｃ）、受信タイムアウトであると判断し、通信結果として「受信タイムアウト１」を出力する（ステップｄ）。具体的には、無線親機２ｂの制御回路９は、表示回路７ａに「受信タイムアウト１」を表示させる。
【００４６】
次に、無線親機２ｂは、要求１の再送である再送１を無線にて無線子機３に送信する（ステップｅ）。無線親機２ｂは、以下同様の手順を繰り返し、ｎ−１回目の再送ｎー１（ステップｆ）に対して無線子機３からの応答を受信できなかった場合には、通信結果として「受信タイムアウトｎ」を出力する（ステップｇ）。具体的には、無線親機２ｂの制御回路９は、表示回路７ａに「受信タイムアウトｎ」を表示させる。次に、無線親機２ｂは、要求１のｎ回目の再送である再送ｎを無線にて無線子機３に送信する（ステップｈ）。
【００４７】
無線親機２ｂは、ｎ回目の再送ｎ（ステップｈ）に対しても無線子機３からの応答を受信できなかった場合には、携帯通信装置１に通信失敗応答を返す（ステップｉ）。これにより、携帯通信装置１は、表示回路７に通信結果として「通信失敗」を表示する（ステップｊ）。
【００４８】
以上説明したように、実施例３に係る携帯無線システムによれば、無線通信ができなかった、つまり受信タイムアウトになった場合はその都度、その事実が、無線親機２ｂに設けられた表示回路７ａへの表示によって報知されるので、携帯通信装置１の操作員は、従来のように何回かの無線通信のリトライ（再送）の後に無線通信の失敗を知るのではなく、無線通信が試みられる毎に無線通信ができない旨を知ることができる。従って、携帯通信装置１の操作員（例えば検針員）は、無線通信ができなかった旨が報知された場合は、無線通信品質の良好な位置に移動して通信をやり直すことができるので、通信のやり直しが短時間で済む。なお、受信タイムアウトがｎ回発生した場合は、無線通信の失敗が携帯通信装置１の表示回路７に表示される。
【００４９】
また、無線通信ができなかった旨を報知する機能は、無線親機２ｂが存在する場合にのみ必要な機能であるので、無線通信ができないことを報知する機能は無線親機２ｂに設けられるのが好ましい。報知する機能を無線親機２ｂに設けることにより携帯通信装置１の構造が簡単になるので、携帯通信装置１を安価に構成できる。特に、携帯通信装置１を単独で使用する場合は、コスト上の利益を受けることができる。また、携帯通信装置と無線親機の間での通信（受信タイムアウト応答、再送を行わなくてよいため、通信時間を短縮することができる。
【実施例４】
【００５０】
本発明の実施例４に係る携帯無線システムは、無線親機に設けられた鳴動回路を用いて無線通信ができない旨を音声でユーザに知らせることを特徴とする。
【００５１】
図６は本発明の実施例４に係る携帯無線システムの構成を示すブロック図である。携帯無線システムは、無線親機２ｃの構成が実施例３に係る携帯無線システムの無線親機２ｂと異なる。
【００５２】
即ち、無線親機２ｃでは、実施例３に係る無線親機２ｂの表示回路７ａの代わりに鳴動回路１３が設けられている。鳴動回路１３は、実施例２におけるそれと同じものであり、本発明の報知部及び鳴動部に対応する。
【００５３】
次に、このように構成された実施例４に係る携帯無線システムの動作を、図５に示すシーケンス図を参照しながら説明する。
【００５４】
まず、携帯通信装置１は、制御回路５からインタフェース回路６を介して要求１を無線親機２ｃに送る（ステップａ）。無線親機２ｃの制御回路９は、携帯通信装置１のインタフェース回路６から送られてくる要求１を、インタフェース回路８を介して受信し、無線回路１０を介して無線子機３に無線にて送信する（ステップｂ）。無線親機２ｃの制御回路９は、同時に、タイマ回路１１を起動する。
【００５５】
無線親機２ｃの制御回路９は、タイマ回路１１からの受信タイムアウト信号を受け取るまでに無線子機３からの応答を受信できない場合には（ステップｃ）、受信タイムアウトであると判断し、通信結果として「受信タイムアウト１」を出力する（ステップｄ）。具体的には、無線親機２ｃの制御回路９は、鳴動回路１３に「受信タイムアウト１」を表すブザー音を鳴動させる。次に、無線親機２ｃは、要求１の再送である再送１を無線にて無線子機３に送信する（ステップｅ）。
【００５６】
無線親機２ｃは、以下同様の手順を繰り返し、ｎ−１回目の再送ｎー１（ステップｆ）に対して無線子機３からの応答を受信できなかった場合には、通信結果として「受信タイムアウトｎ」を出力する（ステップｇ）。具体的には、無線親機２ｃの制御回路９は、鳴動回路１３に「受信タイムアウトｎ」を表すブザー音を鳴動させる。
【００５７】
次に、無線親機２ｃは、要求１のｎ回目の再送である再送ｎを無線にて無線子機３に送信する（ステップｈ）。無線親機２ｃは、ｎ回目の再送ｎ（ステップｈ）に対しても無線子機３からの応答を受信できなかった場合には、携帯通信装置１に通信失敗応答を返す（ステップｉ）。これにより、携帯通信装置１は、表示回路７に通信結果として「通信失敗」を表示する（ステップｊ）。
【００５８】
以上説明したように、実施例４に係る携帯無線システムによれば、無線通信ができなかった、つまり受信タイムアウトになった場合はその都度、その事実が、無線親機２ｃに設けられた鳴動回路１３で発生される音によって報知されるので、携帯通信装置１の操作員は、従来のように何回かの無線通信のリトライ（再送）の後に無線通信の失敗を知るのではなく、無線通信が試みられる毎に無線通信ができない旨を知ることができる。従って、携帯通信装置１の操作員（例えば検針員）は、無線通信ができなかった旨が報知された場合は、無線通信品質の良好な位置に移動して自動的な無線通信のリトライ（再送）を行なうことができるため、通信失敗を防ぎ、通信のやり直しによる通信時間の増加を抑えることができる。なお、受信タイムアウトがｎ回発生した場合は、無線通信の失敗が携帯通信装置１の表示回路７に表示される。
【００５９】
また、無線通信ができなかった旨を報知する機能は、無線親機２ｃが存在する場合にのみ必要な機能であるので、無線通信ができないことを報知する機能は無線親機２ｃに設けられるのが好ましい。報知する機能を無線親機２ｃに設けることにより携帯通信装置１の構造が簡単になるので、携帯通信装置１を安価に構成できる。特に、携帯通信装置１を単独で使用する場合は、コスト上の利益を受けることができる。また、携帯通信装置と無線親機の間での通信（受信タイムアウト応答、再送を行わなくてよいため、通信時間を短縮することができる。
【実施例５】
【００６０】
本発明の実施例に係る携帯無線システムは、実施例１〜実施例４における携帯無線装置と無線親機とを一体化することにより携帯無線装置としたことを特徴とする。
【００６１】
図７は本発明の実施例５に係る携帯無線システムの構成を示すブロック図である。携帯無線システムは、実施例１〜実施例４における携帯無線装置及び無線親機の代わりに、これらが一体化された携帯無線装置１５が設けられている点が、上述した実施例１〜実施例４に係る携帯無線システムと異なる。
【００６２】
携帯無線装置１５は、表示回路７、無線回路１０、タイマ回路１１、鳴動回路１３及び制御回路１６から構成されている。
【００６３】
制御回路１６は、例えばマイクロコンピュータから構成されており、携帯無線装置１５の全体を制御する。表示回路７は、本発明の報知部及び表示部に対応し、制御回路１６からの表示信号に応じたメッセージを表示する。表示回路７は、例えば、液晶回路やＬＥＤ回路から構成することができる。無線回路１０は、制御回路１６からの信号を変調してアンテナから送信すると共に、アンテナで受信された信号を復調して制御回路１６に送る。タイマ回路１１は、要求の送信がなされる毎に制御回路１６によって起動され、所定時間が経過することにより受信タイムアウト信号を制御回路１６に送る。鳴動回路１３は、本発明の報知部及び鳴動部に対応し、制御回路１６からの制御信号に応答して、所定の音を発生する。鳴動回路１３は、例えば圧電ブザーから構成することができる。
【００６４】
次に、このように構成された実施例５に係る携帯無線システムの動作を、図８に示すシーケンス図を参照しながら説明する。
【００６５】
まず、携帯無線装置１５の制御回路１６は、要求１を無線回路１０を介して無線子機３に無線にて送信する（ステップａ）。同時に、制御回路１６は、タイマ回路１１を起動する。
【００６６】
制御回路１６は、タイマ回路１１からの受信タイムアウト信号を受け取るまでに無線子機３からの応答を受信できない場合（ステップｂ）は、受信タイムアウトであると判断し、通信結果として「受信タイムアウト１」を出力する（ステップｃ）。具体的には、制御回路５は、表示回路７に「受信タイムアウト１」を表示させるとともに、鳴動回路１３に「受信タイムアウト１」を表すブザー音を鳴動させる。次に、制御回路１６は、要求１の再送である再送１を無線子機３に無線にて送信する（ステップｄ）。
【００６７】
制御回路１６は、以下同様の手順を繰り返し、ｎ−１回目の再送ｎー１（ステップｅ）に対して無線子機３からの応答を受信できなかった場合には、通信結果として「受信タイムアウトｎ」を出力する（ステップｆ）。具体的には、制御回路５は、表示回路７に「受信タイムアウト１」を表示させるとともに、鳴動回路１３に「受信タイムアウト１」を表すブザー音を鳴動させる。次に、制御回路１６は、要求１のｎ回目の再送である再送ｎを無線にて無線子機３に送信する（ステップｇ）。
【００６８】
制御回路１６は、ｎ回目の再送ｎ（ステップｇ）に対しても無線子機３からの応答を受信できなかった場合には、表示回路７に通信結果として「通信失敗」を表示する（ステップｈ）。
【００６９】
以上説明したように、実施例５に係る携帯無線システムによれば、無線通信ができなかった、つまり受信タイムアウトになった場合はその都度、その事実が、表示回路７への表示及び鳴動回路１３で発生される音によって報知されるので、携帯通信装置１の操作員は、従来のように何回かの無線通信のリトライ（再送）の後に無線通信の失敗を知るのではなく、無線通信が試みられる毎に無線通信ができない旨を知ることができる。従って、携帯無線装置１５の操作員（例えば検針員）は、無線通信ができなかった旨が報知された場合は、無線通信品質の良好な位置に移動して自動的な無線通信のリトライ（再送）を行なうことができるため、通信失敗を防ぎ、通信のやり直しによる通信時間の増加を抑えることができる。
【００７０】
また、実施例５に係る携帯無線システムは、実施例１〜実施例４における携帯無線装置と無線親機とを一体化した構造を有するので、一体化に伴う低価格化が可能であり、携帯無線システムを安価に構成できる。
【００７１】
なお、実施例５では、携帯無線装置１５は、受信タイムアウト応答１を受信すると、表示回路７に「受信タイムアウト１」を表示させるとともに、鳴動回路１３に「受信タイムアウト１」を表すブザー音を鳴動させるように構成したが、表示及び鳴動の何れか一方のみで操作員に報知するように構成することもできる。また、携帯通信装置と無線親機の間での通信（受信タイムアウト応答、再送を行わなくてよいため、通信時間を短縮することができる。
【産業上の利用可能性】
【００７２】
本発明は、電力量計、ガスメータ、水道メータ等のメータの計量値を上位端末で自動検針する自動検針システムに適用可能である。
【図面の簡単な説明】
【００７３】
【図１】本発明の実施例１に係る携帯無線システムの構成を示すブロック図である。
【図２】本発明の実施例１及び実施例２に係る携帯無線システムの動作を説明するためのシーケンス図である。
【図３】本発明の実施例２に係る携帯無線システムの構成を示すブロック図である。
【図４】本発明の実施例３に係る携帯無線システムの構成を示すブロック図である。
【図５】本発明の実施例３及び実施例４に係る携帯無線システムの動作を説明するためのシーケンス図である。
【図６】本発明の実施例４に係る携帯無線システムの構成を示すブロック図である。
【図７】本発明の実施例５に係る携帯無線システムの構成を示すブロック図である。
【図８】本発明及び実施例５に係る携帯無線システムの動作を説明するためのシーケンス図である。
【図９】従来の携帯無線システムにおいて通信が成功した場合の動作を説明するためのシーケンス図である。
【図１０】従来の携帯無線システムにおいて通信が失敗した場合の動作を説明するためのシーケンス図である。
【符号の説明】
【００７４】
１，１ａ  携帯通信装置
２，２ｂ，２ｃ  無線親機
３  無線子機
４  端末装置
５  制御回路
６  インタフェース（Ｉ／Ｆ）回路
７，７ａ  表示回路
８  インタフェース（Ｉ／Ｆ）回路
９  制御回路
１０  無線回路
１１  タイマ回路
１３  鳴動回路
１５  携帯無線装置
１６  制御回路
【図１】
2006279561.tif 000003
【図２】
2006279561.tif 000004
【図３】
2006279561.tif 000005
【図４】
2006279561.tif 000006
【図５】
2006279561.tif 000007
【図６】
2006279561.tif 000008
【図７】
2006279561.tif 000009
【図８】
2006279561.tif 000010
【図９】
2006279561.tif 000011
【図１０】
2006279561.tif 000012